(57)【特許請求の範囲】
【請求項１】
乗かごが昇降する昇降路内に配置され、外部から電力を受電する受電盤と、上記昇降路内での上記乗かごの昇降を制御する制御盤と、上記乗かごの昇降制御に伴って発生する電力を消費する抵抗器とを備えたエレベータの制御装置において、
上記受電盤及び上記制御盤を、上記昇降路のピット床から手の届く領域に配置するとともに、上記乗かごの上から手の届く領域に上記抵抗器を収納する抵抗器盤を配置し、
上記受電盤及び上記制御盤と、上記抵抗器盤の間に、保全の必要ない接続手段を収納したダクト盤を配置したことを特徴とするエレベータの制御装置。
【請求項２】
請求項１記載のものにおいて、上記ダクト盤を、上記抵抗器盤と上記制御盤を接続するように配置するとともに、上記抵抗器盤と、上記ダクト盤と、上記制御盤と、上記受電盤のそれぞれを、上記昇降路内の同一投影面上に互いに重ねて配置したことを特徴とするエレベータの制御装置。
【発明の詳細な説明】
【０００１】
【発明の属する技術分野】
本発明は、乗かごが昇降する昇降路内に制御盤を設置したエレベータの制御装置に関する。
【０００２】
【従来の技術】
一般的なエレベータは、昇降路の頂部に形成した機械室内に制御盤および巻上機等を設置して構成している。しかし、機械室を形成するために建物屋上部分が一段突出して建物全体の外観を損なう嫌いがあることから、家庭用住宅内等に設置するエレベータでは、建物全体の美観の向上と省スぺースの観点等から、巻上機や制御盤等を昇降路内に設置して昇降路頂部の機械室を省略するようにしている。
【０００３】
このように制御盤等を昇降路内に設置した従来のエレベータとしては、特公平７−３７３８０８号公報に記載のものがあり、これを図３〜図５に示している。昇降路１内に配置した乗かご４は、上梁４ｃに支持した主素６によって吊持され、この主素６の他端には図４に示したつり合いおもり７が連結され、乗かご４およびつり合いおもり７はかご用レール５およびおもり用レール８にそれぞれ案内されてつるべ式に昇降するように構成している。この乗かご４は、１階乗場Ｆ１〜４階乗場Ｆ４等に停止してかご戸４ａおよび乗場戸Ｆ１Ｄ〜Ｆ４Ｄを開閉して利用者の昇降の用に供される。制御装置ＣＢは、昇降路１の側壁２に取り付けられており、外部から電力を受電する受電盤と、乗かご４の昇降を制御する制御盤と、図５に示すように頂部に載置されて制御に伴って発生する電力を消費する抵抗器箱ＲＢと、中継端子等が一体的に組み込まれたもので、制御盤を含む包括化された装置となっている。
【０００４】
【発明が解決しようとする課題】
ところで、制御装置ＣＢ等の機器不良などによるエレベータ起動不能事故が発生した場合にその復旧作業をいち早く行なうために、制御装置ＣＢは昇降路１内の上部で乗かご４が停止していても、ピット３から復旧作業ができる位置に取り付けている。しかしながら、従来のエレベータでは、建家内空間の有効利用のために昇降路１内には最大限可能な大きさの乗かご４を収納するようにしているため、昇降路１内における空スぺースは図４に示すとおり通常限られたものとなっている。この空スぺースに制御装置ＣＢを設置しようとすると、制御装置ＣＢは薄形にせざるを得ず、しかも、昇降路１の左右の側壁２にはかご用レール５がほぼ昇降路１の全高に亘って配置されているため、このかご用レール５を避けて配置する制御装置ＣＢの幅も制限されてしまう。従って、制御装置ＣＢは、図３から図５に示すように薄くしかも昇降路１内の上部まで延びる上下に長い構造にせざるを得ず、このような構造の制御装置ＣＢの通常の保全作業は、ピット３からか、または乗かご４の天井上面４ｂに乗って行なうことになるが、制御装置ＣＢが上下に長い構造であるために、図６に示すようにピット３からも、また乗かご４の天井上面４ｂからも作業できない領域が発生してしまう。
【０００５】
本発明の目的は、昇降路内に配置しても保全作業を良好に行なうことができるようにしたエレベータの制御装置を提供することにある。
【０００６】
【課題を解決するための手段】
本発明は上述した目的を達成するために、乗かごが昇降する昇降路内に配置され、外部から電力を受電する受電盤と、上記昇降路内での上記乗かごの昇降を制御する制御盤と、上記乗かごの昇降制御に伴って発生する電力を消費する抵抗器とを備えたエレベータの制御装置において、上記受電盤及び上記制御盤を、上記昇降路のピット床から手の届く領域に配置するとともに、上記乗かごの上から手の届く領域に上記抵抗器を収納する抵抗器盤を配置し、上記受電盤及び上記制御盤と、上記抵抗器盤の間に、保全の必要ない接続手段を収納したダクト盤を配置したことを特徴とする。
【０００７】
本発明によるエレベータの制御装置は、保全作業を必要とする受電盤、制御盤、及び抵抗器盤をピット床面およびかご上部から保全できる領域に配置し、保全作業のできない領域に保全作業の必要ない部品を収納したダクト盤を配置したため、昇降路内の保全作業を良好に行なうことができる。
【０００８】
【発明の実施の形態】
以下、本発明の実施の形態を図面によって説明する。
【０００９】
図１は、本発明の一実施の形態によるエレベータの制御装置を示す斜視図である。
【００１０】
かご戸４ａと天井上面４ｂを有して昇降路１内に配置した乗かご４は、その上梁４ｃに主素６の一端を連結し、この主素６の他端につり合いおもり７を連結し、乗かご４はかご用レール５によって、またつり合いおもり７はおもり用レール８によってそれぞれ案内されて昇降するように構成されている。乗かご４のかご戸４ａに対応する１階乗場Ｆ１〜４階乗場Ｆ４には乗場戸Ｆ１Ｄ〜Ｆ４Ｄがそれぞれ設けられ、また昇降路１の下部のピット３には乗かご４およびつり合いおもり７の下部に位置する緩衝装置３ｂがそれぞれ配置されている。
【００１１】
上述したように昇降路１内に配置する制御装置は、縦長に構成されることになるため、図２に示したようにピット３から保全可能範囲Ａと、かご上天井面４ｂから保全可能範囲Ｃと、両位置から保守員の手が届かない保全作業のできない領域Ｂとが形成されてしまう。
【００１２】
そこで、昇降路１の側壁２に取り付ける制御装置を複数の盤から構成し、そのうちの少なくとも一つは保全の必要な部品が実装されておらず、接続手段で構成した盤としている。つまり、この制御装置は、図１に示したように乗かご４を昇降駆動する電力を外部から受電する受電盤ＮＦと、乗かご４の昇降を制御する制御盤ＣＢａと、保全の必要な部品を実装せず接続手段で構成したダクト盤ＤＢと、乗かご４を昇降制御する際に発生する電力を消費する抵抗器を収納した抵抗器盤ＲＢａとから構成している。
【００１３】
乗かご４を昇降駆動する電力を外部から受電する受電盤ＮＦは、かご用レール５よりも出口側に位置するピット３の側壁２に、またピット床面３ａから保守員の手の届く高さ位置に取り付けている。また乗かご４の昇降を制御する制御盤ＣＢａは、受電盤ＮＦの上部に位置して受電盤ＮＦと同様にピット床面３ａから保守員の手の届く高さ位置に取り付けている。従って、受電盤ＮＦおよび制御盤ＣＢａは図２におけるピット３から保全可能範囲Ａに配置したことになる。
【００１４】
一方、乗かご４を昇降制御する際に発生する電力を消費する抵抗器を収納した抵抗器盤ＲＢａは、複数の盤のうち最上部に配置して、図２におけるかご上天井面４ｂから保全可能範囲Ｃに位置させている。このような配置によって、図２に示すように制御盤ＣＢａと抵抗器盤ＲＢａ間には、ピット床面３ａおよびかご上４ｂのいずれからも保守員の手の届かない領域Ｂが発生するが、この領域Ｂに、保全の必要な部品を実装せず制御盤ＣＢａと抵抗器盤ＲＢａ間を接続する接続手段を収納したダクト盤ＤＢを配置するようにしている。
【００１５】
従って、これまでと同じように高さ方向に長い制御装置となっても、図２に示したようにピット床面３ａおよびかご上４ｂのいずれからも保守員の手の届かない領域Ｂに保全の必要ない部品、つまり接続手段を収納したダクト盤ＤＢを配置したため、保全の必要な部品を収納した他の盤をピット床面３ａおよびかご上４ｂから保守員の手の届く位置に配置することができるようになると共に、保守員の手の届かない領域Ｂが保全作業に悪影響を及ぼすことがない。
【００１６】
制御装置は、必ずしも４つの盤から構成する必要はなく、複数の盤構成とし、その高さ方向の中間部に保全の必要ない部品を収納したダクト盤ＤＢを配置すれば、このダクト盤ＤＢをピット床面３ａおよびかご上４ｂから保守員の手の届かない領域に位置させることができるので、上述した複数の盤のうちダクト盤ＤＢを除く複数のものを一体の盤として製作してもよい。
【００１７】
尚、上述した実施の形態では、ピット床面３ａおよびかご上４ｂから手の届かない位置を保守員が手の届かない領域Ｂとしたが、例えばピット３に保守用作業台が設けられている場合、保守員が手の届かない領域Ｂの位置は変化するので、このときは、保守用作業台およびかご上４ｂから保守員の手の届かない領域に保全の必要ない部品である接続手段を収納したダクト盤ＤＢを配置するとよい。
【００１８】
【発明の効果】
以上説明したように、本発明によるエレベータの制御装置は、保全作業のできない領域に保全作業の必要ない接続手段を収納したダクト盤を配置し、保全作業を必要とする受電盤、制御盤、及び抵抗器盤を、ピット床面およびかご上部から保全できる領域に配置したため、昇降路内の保全作業を良好に行なうことができる。
【図面の簡単な説明】
【図１】本発明の一実施の形態によるエレベータの制御装置を示す斜視図である。
【図２】図１に示したエレベータの制御装置の要部拡大図である。
【図３】従来のエレベータの制御装置を示す縦断面図である。
【図４】図３に示したエレベータの制御装置の横断面図である。
【図５】図３に示したエレベータの制御装置を示す斜視図である。
【図６】図３に示したエレベータの制御装置の要部拡大図である。
【符号の説明】
１  昇降路
２  側壁
３  ピット
３ａ  ピット床面
４  乗かご
４ｂ  天井上面
５  かご用レール
６  主素
７  つり合いおもり
８  おもり用レール
ＣＢａ  制御盤
ＮＦ  受電盤
ＲＢａ  抵抗器盤
ＤＢ  ダクト盤
【図１】
0003977999.tif 000002
【図２】
0003977999.tif 000003
【図３】
0003977999.tif 000004
【図４】
0003977999.tif 000005
【図５】
0003977999.tif 000006
【図６】
0003977999.tif 000007